(57)【要約】      （修正有）【課題】眼鏡レンズのコバが狭いために、ヤゲン裾部が極めて狭くなっているか、ほとんどヤゲン裾部が形成されていないような眼鏡レンズのコバ部分においても、一定の面取幅をもって面取加工を施すこと。【解決手段】以上説明したようにこの発明の実施の形態の眼鏡レンズの面取加工方法においては、眼鏡レンズＭＬの周縁にヤゲン裾部が設けられたヤゲン山部Ｙを形成した後、前記眼鏡レンズＭＬの周縁のコバ端の角部を面取砥石（１３，１４）により面取加工するようになっている。しかも、前記ヤゲン裾部の幅に応じて、前記面取砥石（１３，１４）により前記角部に前記ヤゲン裾部および前記ヤゲン山部Ｙのヤゲン傾斜面まで面取加工し且つ該面取加工を前記眼鏡レンズＭＬの全周に亘って所定幅で行なうようになっている。【選択図】図１２
2006198744.tif 000002
【特許請求の範囲】
【請求項１】
眼鏡レンズの周縁にヤゲン裾部が設けられたヤゲン山部を形成した後、前記眼鏡レンズの周縁のコバ端の角部を面取砥石により面取加工する眼鏡レンズの面取加工方法において、
前記ヤゲン裾部の幅に応じて、前記面取砥石により前記角部に前記ヤゲン裾部および前記ヤゲン山部のヤゲン傾斜面まで面取加工し且つ該面取加工を前記眼鏡レンズの全周に亘って所定幅で行なうことを特徴とする眼鏡レンズの面取加工方法。
【請求項２】
周縁にヤゲン山部を形成したヤゲン加工後の眼鏡レンズを挟持するレンズ回転軸と、前記レンズ回転軸を回転駆動する第１の駆動手段と、ヤゲン加工後の前記眼鏡レンズのコバ端部を面取加工する面取砥石と、前記面取砥石を回転駆動する第２の駆動手段と、前記レンズ回転軸と前記面取砥石を相対的に接近・離反駆動させる第３の駆動手段と、前記第１〜第３の駆動手段を駆動制御する演算制御手段と、前記ヤゲン山部のヤゲン裾部の幅のデータを入力するデータ入力手段を備えた眼鏡レンズの面取加工装置であって、
前記演算制御手段は、入力された前記ヤゲン山部のヤゲン裾部の幅のデータに応じて、前記ヤゲン裾部又はヤゲン裾部およびヤゲン山部のヤゲン傾斜面まで面取加工するかどうか判定して、判定した結果に基いて前記第１〜第３の駆動手段を駆動制御して、前記面取砥石により前記角部に前記ヤゲン裾部およびヤゲン山部のヤゲン傾斜面まで面取加工させると共に該面取加工を前記眼鏡レンズの全周に亘って所定幅で行なわせることを特徴とする眼鏡レンズの面取加工装置。
【請求項３】
請求項１の眼鏡レンズの面取加工方法において、
前記眼鏡レンズのコバ厚を測定するレンズ形状測定手段、または前記面取砥石を有する面取加工手段を用いて、ヤゲン加工後の前記眼鏡レンズのヤゲン裾部の幅を測定することを特徴とする眼鏡レンズの面取加工方法。
【請求項４】
請求項２の眼鏡レンズの面取加工装置において、
前記眼鏡レンズのコバ厚を測定するレンズ形状測定手段、または前記面取砥石を有する面取加工手段を用いて、ヤゲン加工後の前記眼鏡レンズのヤゲン裾部の幅を測定することを特徴とする眼鏡レンズの面取加工装置。
【発明の詳細な説明】
【技術分野】
【０００１】
本発明は、その周縁に形成されたヤゲン山部またはヤゲン裾部からなるヤゲンが形成された加工後の眼鏡レンズを更に面取加工するための眼鏡レンズの面取加工方法及び面取加工装置に関する。
【背景技術】
【０００２】
従来の眼鏡レンズの面取加工装置において、通常のヤゲン加工後の眼鏡レンズのコバ面を面取加工する場合、コバ厚が狭いコバ位置であっても、コバ厚が厚いコバ位置であっても、面取幅を変化させて面取加工することができる（例えば、特許文献１〜３参照）。
【特許文献１】特開２００４−３１４２５６号公報
【特許文献２】特開２００５−１００２号公報
【特許文献３】特開２００２−１２６９８５号公報
【発明の開示】
【発明が解決しようとする課題】
【０００３】
しかしながら、従来の眼鏡レンズの面取加工装置では、ヤゲン加工後の眼鏡レンズでヤゲン裾部が極めて狭く面取幅を十分にとれないような場合や、コバ厚が極めて狭くヤゲン山部のみ形成されるような場合の面取加工について明確に記載されておらず、眼鏡加工に携わる作業者は自動で面取加工を実施することができず、手動で面取加工する以外に方法がなかった。
【０００４】
また、一般に眼鏡フレームに枠入れされた眼鏡レンズのコバのうち、眼鏡装用者の眉に掛かるコバ部分が狭くなり、結果的に眼鏡レンズ周縁に形成されたヤゲン山部のヤゲン裾部が狭くなってしまうため、面取幅が不均一になってしまう虞があった。ところが、このように眼鏡レンズのコバ厚が薄い、あるいはヤゲン裾部が通常よりも狭いコバ部分についても、眼鏡装用者にとっては、一定の面取幅で面取された眼鏡が望まれていた。
【０００５】
そこで、本発明では、眼鏡レンズのコバが狭いために、ヤゲン裾部が極めて狭くなっているか、ほとんどヤゲン裾部が形成されていないような眼鏡レンズのコバ部分においても、一定の面取幅をもって面取加工を施すことができる眼鏡レンズの面取加工方法及び面取加工装置を提供することを目的とする。
【課題を解決するための手段】
【０００６】
上記課題を解決するため、請求項１の発明は、眼鏡レンズの周縁にヤゲン裾部が設けられたヤゲン山部を形成した後、前記眼鏡レンズの周縁のコバ端の角部を面取砥石により面取加工する眼鏡レンズの面取加工方法において、前記ヤゲン裾部の幅に応じて、前記面取砥石により前記角部に前記ヤゲン裾部および前記ヤゲン山部のヤゲン傾斜面まで面取加工し且つ該面取加工を前記眼鏡レンズの全周に亘って所定幅で行なう眼鏡レンズの面取加工方法としたことを特徴とする。
【０００７】
また、請求項２の発明は、周縁にヤゲン山部を形成したヤゲン加工後の眼鏡レンズを挟持するレンズ回転軸と、前記レンズ回転軸を回転駆動する第１の駆動手段と、ヤゲン加工後の前記眼鏡レンズのコバ端部を面取加工する面取砥石と、前記面取砥石を回転駆動する第２の駆動手段と、前記レンズ回転軸と前記面取砥石を相対的に接近・離反駆動させる第３の駆動手段と、前記第１〜第３の駆動手段を駆動制御する演算制御手段と、前記ヤゲン山部のヤゲン裾部の幅のデータを入力するデータ入力手段を備えた眼鏡レンズの面取加工装置であって、前記演算制御手段は、入力された前記ヤゲン山部のヤゲン裾部の幅のデータに応じて、前記ヤゲン裾部又はヤゲン裾部およびヤゲン山部のヤゲン傾斜面まで面取加工するかどうか判定して、判定した結果に基いて前記第１〜第３の駆動手段を駆動制御して、前記面取砥石により前記角部に前記ヤゲン裾部およびヤゲン山部のヤゲン傾斜面まで面取加工させると共に該面取加工を前記眼鏡レンズの全周に亘って所定幅で行なわせる眼鏡レンズの面取加工装置としたことを特徴とする。
【発明の効果】
【０００８】
以上により、本発明により、眼鏡レンズのコバが狭いために、ヤゲン裾部が極めて狭くなっているか、ほとんどヤゲン裾部が形成されていないような眼鏡レンズのコバ部分においても、ヤゲン裾部の幅に応じて装置が自動的に判断し一定の面取幅をもって面取加工を施すことができ、面取加工を行なうことができる。
【発明を実施するための最良の形態】
【０００９】
以下、この発明の実施の形態を図面に基づいて説明する。
［構成］
図１において、１は眼鏡フレームＦのレンズ枠形状やその型板或いは型板モデル等から玉型形状データであるレンズ形状情報（θｉ，ρｉ）を読み取るフレーム形状測定装置（玉型形状測定装置）、２はフレーム形状測定装置１から送信等によって入力された眼鏡フレームの玉型形状データに基づいて眼鏡レンズを研削加工するレンズ研削加工装置（玉摺機）である。尚、フレーム形状測定装置１には周知のものを用いることができるので、その詳細な構成やデータ測定方法等の説明は省略する。
【００１０】
＜レンズ研削加工装置２＞
このレンズ研削加工装置２は、図１に示すように、装置本体３の前面寄りに設けられた加工室４と、この加工室４を開閉するカバー５を有する。また、この加工室４内には図２に示したように加工用主要部品が配置されている。また、加工室４の外側には、加工用主要部品の一部を保持するキャリッジ（図示せず）と、加工用主要部品及びキャリッジの駆動系（モータ等）が配置されている。このキャリッジは、前後に延びる左右一対のアーム部とアーム部の後端部を連設する連設部から、平面視形状がコの字状に形成されている。また、キャリッジは、左右動可能に且つ連設部の後縁部を中心にアーム部が上下動可能に設けられている。
【００１１】
なお、図２中、４ａ、４ｂは加工室４の側壁、４ｃ、４ｃは側壁４ａ、４ｂに形成された円弧状のスリットである。そして、この側壁４ａ、４ｂの外側にキャリッジの一対のアーム部が配設されている。このようなアーム部を有するキャリッジには周知の構成を採用できるので、その詳細な説明及び図示は省略する。
【００１２】
また、レンズ研削加工装置２は、その駆動系の制御操作やデータ設定操作を行う際に用いる第１及び第２の操作パネル６、７と、操作パネル６、７による操作状態等その他を表示する表示装置（表示手段）としての液晶表示器８とを備えている。
【００１３】
（加工用主要部品）
上述の加工室４内に配置された加工用主要部品としては、図２に示すように、装置本体３の左右に延びると共にスリット４ｃ、４ｃを貫通する左右一対のレンズ回転軸９、１０がある。尚、スリット４ｃ、４ｃはレンズ回転軸９、１０と一体に移動する図示しないカバーで閉成されている。
【００１４】
このレンズ回転軸９、１０は、互いに直列に配置されて同一軸線を有すると共に、上述した一対のキャリッジのアーム部にそれぞれ回転可能に保持されている。このレンズ回転軸１０は、レンズ回転軸９に対して進退調整可能に設けられている。そして、レンズ回転軸９、１０間に眼鏡レンズＭＬを配設してレンズ回転軸１０をレンズ回転軸９側に進出させることにより、眼鏡レンズＭＬをレンズ回転軸９、１０間で保持（挟持）できる。また、これとは逆に操作することで、レンズ回転軸９、１０間から眼鏡レンズＭＬを取り外すことができる。
【００１５】
また、加工用主要部品としては、眼鏡レンズＭＬを研削加工するための研削砥石１１と、研削砥石１１を回転させる砥石軸１２と、眼鏡レンズＭＬの周縁部に面取加工を施す面取砥石１３、１４と、眼鏡レンズＭＬのコバ面に溝加工を施す溝掘カッター（溝掘砥石）１７がある。
【００１６】
更に、加工用主要部品としては、面取砥石１３、１４、溝掘カッター（溝掘砥石）１７を回転させる面取軸（溝掘軸）１５と、面取軸１５を駆動させると共に旋回させる旋回アーム１６と、面取砥石１４に隣接して面取軸１５に設けられた溝掘カッター１７と、面取砥石１３、１４及び溝掘カッター１７の下方を覆う円弧状カバー１８がある。
【００１７】
また、レンズ回転軸９、１０としては、円弧状カバー１８の内側に設けられて研削砥石１２や面取砥石１３、１４あるいは溝掘カッター１７の砥石面に研削水を掛けるためのホース（図示せず）と、眼鏡レンズＭＬのコバ厚Ｗｉを測定するコバ厚測定部材１９がある。
【００１８】
カバー５は、無色透明又は有色透明（例えば、紺等の半透明）の一枚のガラス製若しくは樹脂製のパネルから構成され、装置本体３の前後にスライドする。
【００１９】
尚、加工室４には、眼鏡レンズＭＬの後方に位置すると共に丸みを帯びた傾斜面４ｄが形成されており、研削屑を流し易い構造になっている。
【００２０】
（加工用主要部品の駆動系）
加工用主要部品の駆動系としては、上述のキャリッジ（図示せず）と、このキャリッジをパルスモータ等の駆動モータを用いて上下回転させる上下動手段（図２では図示せず）と、キャリッジを左右動させるパルスモータ等の駆動モータ（図２では図示せず）と、レンズ回転軸９、１０を回転駆動させるパルスモータ等の駆動モータ（図２では図示せず）と、キャリッジの上下回動に伴いレンズ回転軸９、１０間に保持された眼鏡レンズＭＬを研削加工する際に研削砥石１１を回転させる駆動モータ（図２では図示せず）等を有する。
【００２１】
このような駆動系のキャリッジを駆動させるための駆動モータや構造には周知の構成が採用できるので、その詳細な説明は省略する。また、研削砥石１１は、粗研削砥石、ヤゲン砥石、仕上砥石等を有する。
【００２２】
そして、上述した駆動系は、レンズ形状情報（θｉ，ρｉ）に基づいて、レンズ回転軸９、１０を角度θｉ（ｉ＝０，１，２，３，…，ｎ）毎に図示しない駆動モータで回動させると共に、キャリッジ（図示しない）を図示しない駆動モータで上下回動させることにより、眼鏡レンズＭＬの周縁を回転する研削砥石１１の粗研削砥石１１ａで研削加工するようになっている。この際、駆動系は、レンズ回転軸９、１０と砥石回転軸１２との軸間距離が角度θｉ毎に砥石半径＋動径ρｉとなるように、キャリッジの前端部を角度θｉ毎に上下回動させてレンズ回転軸９、１０及び眼鏡レンズＭＬを上下動させるようになっている。これにより、眼鏡レンズＭＬが研削砥石１１でレンズ形状情報（θｉ，ρｉ）に粗研削加工されるようになっている。
【００２３】
また、駆動系は、上述と同様に各駆動モータをレンズ形状情報（θｉ，ρｉ）に基づいて作動制御して、レンズ形状（玉型形状）ＬＬ、ＬＲに粗研削された眼鏡レンズＭＬの周縁のコバ端部に研削砥石１１のヤゲン砥石１１ｂによりヤゲン加工できるようになっている。この際、駆動系は、予め設定されたヤゲン位置データに基づいてキャリッジを左右に駆動する駆動モータを制御することにより、玉型形状に粗加工された眼鏡レンズＭＬのコバ端にヤゲン加工を施すようになっている。尚、このような眼鏡レンズＭＬの研削加工は周知の構造を採用できるので、詳細な説明は省略する。
（コバ厚測定装置）
コバ厚測定装置（コバ厚測定手段）はコバ厚測定部材１９を有する。このコバ厚測定部材１９は、互いに離間状態で対向する一対のフィーラ１９ａ、１９ｂを備える。このフィーラ１９ａ、１９ｂは作用右方向に延びる測定軸１９ｃに一体に設けられている。この測定軸１９ｃは、加工室４の側壁４ｂを左右に貫通していると共に、左右に移動可能となっている。また、測定軸１９ｃは、フィーラ１９ａ、１９ｂが加工室４の後縁部の略中央に位置するように、図示しないスプリングで保持されている。従って、フィーラ１９ａ、１９ｂ及び測定軸１９ｃは、左右方向への移動力を解除すると、加工室４の後縁部の略中央に戻されるようになっている。
【００２４】
しかも、コバ厚測定装置（コバ厚測定手段）は、測定軸１９ｃに連動してフィーラ１９ａ、１９ｂの左右方向への移動位置（又は移動量）を検出して測定する測定部（図示せず）を有する。この測定部は測定室４の外側に設けられている。
【００２５】
より具体的には、フィーラ１９ａ、１９ｂ及び測定軸１９ｃの左右方向への移動位置又は移動量は測定部（図示せず）に内蔵された図示しない読取センサ（位置検出手段又は移動量検出手段）により読取られるようになっている。
【００２６】
また、コバ厚測定装置（コバ厚測定手段）は、測定軸１９ｃを軸線回りに回動させる図示しないパルスモータ等の駆動手段を有する。この駆動手段は、測定軸１９ｃを回動させてフィーラ１９ａ、１９ｂを約９０度跳ね上げた位置（待機状態）と前側に水平に倒れた使用位置（使用状態）とに回動するようになっている。この回動は、後述する制御回路により行われる。
【００２７】
尚、レンズ形状情報（θｉ，ρｉ）に基づく眼鏡レンズＭＬのコバ厚Ｗｉの測定時には、レンズ回転軸９、１０に眼鏡レンズＭＬを保持させると共に、フィーラ１９ａ、１９ｂを前側に水平に倒した状態にする。
【００２８】
この状態で、レンズ回転軸９、１０を駆動モータによりキャリッジと一体に上下動及び左右動させることにより、フィーラ１９ａの先端を眼鏡レンズＭＬの前側屈折面に当接させ、又はフィーラ１９ｂの先端を後側屈折面に当接させることができるようになっている。
【００２９】
更に、フィーラ１９ａの先端を眼鏡レンズＭＬの前側屈折面に当接させた状態で、レンズ回転軸９、１０をレンズ形状情報（θｉ，ρｉ）に基づいて角度θｉ毎に回動させると共に、レンズ回転軸９、１０と研削砥石１１（又は砥石回転軸１２）との軸間距離が角度θｉ毎にＸｉ（研削砥石１１の半径＋動径ρｉ）となるように、キャリッジを上下動させることにより、フィーラ１９ａの先端を眼鏡レンズＭＬの前側屈折面の動径ρｉの位置に接触移動させることができるようになっている。同様に、フィーラ１９ｂの先端を眼鏡レンズＭＬの後側屈折面に当接させた状態で、レンズ回転軸９、１０をレンズ形状情報（θｉ，ρｉ）に基づいて角度θｉ毎に回動させると共に、レンズ回転軸９、１０と研削砥石１１（又は砥石回転軸１２）との軸間距離が角度θｉ毎にＸｉ（研削砥石１１の半径＋動径ρｉ）となるように、キャリッジを上下動させることにより、フィーラ１９ｂの先端を眼鏡レンズＭＬの前側屈折面の動径ρｉの位置に接触移動させることができるようになっている。このようにフィーラ１９ａ、１９ｂが眼鏡レンズＭＬに接触した状態でレンズ回転軸９、１０をレンズ形状情報（θｉ，ρｉ）に基づいて回動させると、フィーラ１９ａ、１９ｂが眼鏡レンズＭＬの屈折面の湾曲に従って左右方向に移動させられる。
【００３０】
従って、眼鏡レンズＭＬのコバ厚Ｗｉを求めるには、フィーラ１９ａを用いてレンズ形状情報（θｉ，ρｉ）における眼鏡レンズＭＬの前側屈折面の左右方向（光軸方向＝レンズ回転軸９、１０の軸線の延びる方向）の移動量（フィーラ１９ａの左右方向への移動量）を測定部の読取センサ（図示せず）で求める。次に、フィーラ１９ｂを用いてレンズ形状情報（θｉ，ρｉ）における眼鏡レンズＭＬの前側屈折面の左右方向（光軸方向＝レンズ回転軸９、１０の軸線の延びる方向）の移動量（フィーラ１９ｂの左右方向への移動量）を測定部の読取センサ（図示せず）で求める。
【００３１】
ここで、フィーラ１９ａ、１９ｂが初期位置にある場合の、フィーラ１９ａ、１９ｂ間の中央位置からフィーラ１９ａの先端までの距離をｘａとし、フィーラ１９ａ、１９ｂ間の中央位置からフィーラ１９ｂの先端までの距離を−ｘａとし、フィーラ１９ａの初期位置からの左方向及び右方向への移動量をそれぞれｆａ及び−ｆａとし、フィーラ１９ｂの初期位置からの左方向及び右方向への移動量をｆｂ及び−ｆｂとする。この条件において、フィーラ１９ａ、１９ｂ間の中央位置からフィーラ１９ａの先端の左右方向への移動位置Ｆａはｘａ＋ｆａ又はｘａ−ｆａとなり、フィーラ１９ａ、１９ｂ間の中央位置からフィーラ１９ｂの先端の左右方向への移動位置Ｆｂは−ｘａ＋ｆｂ又は−ｘａ−ｆｂとなる。
【００３２】
従って、このような移動位置Ｆａからｘａを差し引くことによりフィーラ１９ａの移動量ｆａがフィーラ１９ａ、１９ｂ間の中央位置からの左右方向への移動位置Ｆａ’として求められ、移動位置Ｆｂからｘａを差し引くことによりフィーラ１９ｂの移動量ｆｂがフィーラ１９ａ、１９ｂ間の中央位置からの左右方向への移動位置Ｆｂ’として求められる。そして、この求めた移動位置Ｆａ’、Ｆｂ’の差を求めることにより、眼鏡レンズＭＬのレンズ形状情報（θｉ，ρｉ）にコバ厚Ｗｉを求めることができる。
【００３３】
（操作パネル６）
操作パネル６は、図３（Ａ）に示すように、眼鏡レンズをレンズ回転軸９、１０によりクランプするための『クランプ』スイッチ６ａと、眼鏡レンズの右眼用・左眼用の加工の指定や表示の切換え等を行う『左』スイッチ６ｂ、『右』スイッチ６ｃと、砥石を左右方向に移動させる『砥石移動』スイッチ６ｄ、６ｅと、眼鏡レンズの仕上加工が不十分である場合や試し摺りする場合の再仕上又は試し摺り加工するための『再仕上／試』スイッチ６ｆと、レンズ回転モード用の『レンズ回転』スイッチ６ｇと、ストップモード用の『ストップ』スイッチ６ｈとを備えている。
【００３４】
（操作パネル７）
操作パネル７は、図３（Ｂ）に示すように、液晶表示器８の表示状態を切り換える『画面』スイッチ７ａと、液晶表示器８に表示された加工に関する設定等を記憶する『メモリー』スイッチ７ｂと、レンズ形状情報（θｉ，ρｉ）を取り込むための『データ要求』スイッチ７ｃと、数値補正等に使用されるシーソー式の『−＋』スイッチ７ｄ（『−』スイッチと『＋』スイッチとを別々に設けても良い）と、カーソル式ポインタ移動用の『▽』スイッチ７ｅとを液晶表示器８の側方には配置している。また、ファンクションキーＦ１〜Ｆ６が液晶表示器８の下方に配列されている。
【００３５】
このファンクションキーＦ１〜Ｆ６は、眼鏡レンズの加工に関する設定時に使用されるほか、加工工程で液晶表示器８に表示されたメッセージに対する応答・選択用として用いられる。
【００３６】
（液晶表示器８）
液晶表示器８の上部には、『レイアウト』タブＴＢ１、『加工中』タブＴＢ２、『加工済』タブＴＢ３、『メニュー』タブＴＢ４が表示されている。そして、この『レイアウト』タブＴＢ１、『加工中』タブＴＢ２、『加工済』タブＴＢ３、『メニュー』タブＴＢ４を選択することにより、液晶表示器８の表示が切り替えられるようになっている。
【００３７】
また、液晶表示器８の下縁部には、ファンクションキーＦ１〜Ｆ６に対応したファンクション表示器Ｈ１〜Ｈ６が設けられている。このファンクション表示部Ｈ１〜Ｈ６は、必要に応じたものが適宜表示される。更に、ファンクション表示部Ｈ１〜Ｈ６が非表示状態の時には、ファンクションキーＦ１〜Ｆ６の機能に対応したものとは異なった図柄や数値、或いは、状態等を液晶表示器８の下縁部に表示することができる。
【００３８】
『レイアウト』タブＴＢ１、『加工中』タブＴＢ２、『加工済』タブＴＢ３を選択した状態の時には、アイコン表示エリアＥ１、メッセージ表示エリアＥ２、数値表示エリアＥ３、状態表示エリアＥ４に区画した状態で表示される。また、『メニュー』タブＴＢ４を選択した状態の時には、全体的に一つのメニュー表示エリアとして表示しても良いし、独自の区画表示エリアとしても良い。
【００３９】
アイコン表示エリアＥ１に表示されるアイコンは、玉型形状データであるレンズ形状情報（θｉ，ρｉ）に基づいて眼鏡レンズのコバ厚形状を測定している状態、眼鏡レンズのコバ端面に形成されるヤゲン形状をシミュレーションしている状態、コバ端面を粗加工する状態、コバ端面を仕上加工する状態、コバ端面を鏡面加工する状態、コバ端面を溝掘り加工する状態、コバ端面を溝掘り・面取加工する状態、コバ端面を溝掘り・面取・鏡面加工する状態、コバ端面をヤゲン加工する状態、コバ端面をヤゲン・面取加工する状態、コバ端面をヤゲン・面取・鏡面加工する状態、眼鏡レンズの研削加工の終了、といったように各作業に対応して並設されている。
【００４０】
また、各アイコンの上方には、その一連の作業の進行状況をオペレータが識別できるように、１対１で対応すると共に一連の作業の進行状況に応じて点灯表示していく複数カーソルインジケータが、右眼レンズ進行状況表示用と左眼レンズ進行状況表示用とで上下２段にして『加工中』タブＴＢ２に設けられている。
【００４１】
メッセージ表示エリアＥ２には、各種エラーメッセージや警告メッセージなどが状態に応じて表示される。尚、装置内部品等の破損や被加工レンズの破損等の虞がある場合の警告メッセージなどの場合には、オペレータが認識し易いようにメッセージ表示エリアＥ２以外のエリアにはみ出して表示上で重畳させることも可能である。
【００４２】
数値表示エリアＥ３には、レイアウトデータの入力時に、眼鏡フレームの左右レンズ枠の幾何学中心間距離（ＦＰＤ値）、眼鏡装用者眼の瞳孔間距離（ＰＤ値）、ＦＰＤ値とＰＤ値との差である寄せ量の鉛直方向成分ＵＰ値（又はＨｌｐ値）、加工サイズ調整の各項目等が表示される。また、初期設定時には、上述したＦＰＤ、ＰＤ、ＵＰ、サイズの他に加工レンズの吸着中心が表示される。さらに、モニターデータ入力時には、眼鏡レンズの二次加工的な面取加工に関わる寸法関係の数値が表示される。
【００４３】
状態表示エリアＥ４には、右眼用及び左眼用の眼鏡レンズのレイアウト画像や眼鏡レンズの最大、最小、最大及び最小以外の中間（任意）コバ周縁に形成されるヤゲン形状、コバ周縁を側面から見たレンズ側面形状等や、現実の加工状態に即した模式図等が表示される。
【００４４】
（ファンクションキー）
このファンクションキーＦ１〜Ｆ６は、眼鏡レンズの加工に関する設定時に使用されるのか、加工工程で液晶表示器８に表示されたメッセージに対する応答・選択用として用いられる。
【００４５】
各ファンクションキーＦ１〜Ｆ６は、加工に関する設定時（レイアウト画面）においては次の様に用いられる。即ち、ファンクションキーＦ１はレンズタイプ入力用、ファンクションキーＦ２はレンズ素材入力用、ファンクションキーＦ３はフレーム種類入力用、ファンクションキーＦ４は面取加工種類入力用、ファンクションキーＦ５は鏡面加工入力用、ファンクションキーＦ６は加工コース入力用として用いられる。
【００４６】
ファンクションキーＦ１で入力されるレンズタイプとしては、『単焦点』、『眼科処方』、『累進』、『バイフォーカル』、『キャタラクト』、『ツボクリ』、『８カーブ』等がある。尚、『キャタラクト』とは、眼鏡業界では一般にプラスレンズで屈折度数が大きいものをいい、『ツボクリ』とは、マイナスレンズで屈折度数が大きいものをいい、『８カーブ』とは、レンズ屈折面カーブが８カーブで出来ているものをいう。
【００４７】
ファンクションキーＦ２で入力される被加工レンズの素材としては、プラスチック（以下、『プラ』と略する。）、『ハイインデックス』、『ガラス』、ポリカーボネイト（以下、『ポリカ』と略する。）、『アクリル』等がある。
【００４８】
ファンクションキーＦ３で入力される眼鏡フレームＦの種類としては、『メタル』、『セル』、『オプチル』、『平』、『溝掘り（細）』、『溝掘り（中）』、『溝掘り（太）』等がある。
【００４９】
ファンクションキーＦ４で入力される面取り加工種類としては、図７，図８に示した『無し』、『小（前後）』、『中（前後）』、『大（前後）』、『特殊（前後）』、『小（後）』、『中（後）』、『大（後）』、『特殊（後）』等がある。
【００５０】
なお、この面取位置を示すポップアップは、『無し』、『小（前後）』、『特殊耳（前後）』、『特殊鼻（前後）』、『特殊（前後）』、『小（前後）』、『特殊耳（前後）』、『特殊鼻（前後）』、『特殊（後）』等でもよい。
【００５１】
ファンクションキーＦ５で入力される鏡面加工としては、『なし』、『あり』、『面取部鏡面』等がある。
【００５２】
ファンクションキーＦ６で入力される加工コースとしては、『オート』、『試し』、『モニター』、『枠替え』或いは『内トレース』等がある。
【００５３】
尚、上述したファンクションキーＦ１〜Ｆ６のモードや種別或いは順序は特に限定されるものではない。また、後述する各タブＴＢ１〜ＴＢ４の選択として、『レイアウト』、『加工中』、『加工済』、『メニュー』等を選択するためのファンクションキーを設けるなど、キー数に限定されるものではない。
【００５４】
そして、このようなファンクションキーＦ１ないしＦ６に対応するファンクション表示部Ｈ１〜Ｈ６の上には、レンズタイプ、レンズ、フレーム、面取、鏡面及びコース等がそれぞれ表示される。しかもファンクション表示部Ｈ１〜Ｈ６には、レンズタイプ、レンズ、フレーム、面取、鏡面及びコース等に対応する内容、即ちファンクションキーＦ１〜Ｆ６により選択するための上述した種類や加工内容等が表示される。
【００５５】
尚、以下、レイアウト時の液晶表示器８の表示状態としての、システム起動直後・データ要求直後・レイアウト設定終了・各コース選択等、或いは、加工時の液晶表示器８の表示状態としての、コバ厚確認・右眼レンズ加工中及び終了・左眼レンズ加工中等、更に、加工済み後の液晶表示器８の表示状態としての確認・データ保存、研削加工中におけるエラー・アイコンとカーソル・溝掘り加工及び面取加工・試し摺り・加工追加再仕上げ等の表示や操作等は、特願２０００−２８７０４０号又は特願２０００−２９０８６４号と同様のものとすることができる。
［制御回路］
レンズ研削加工装置２は、図４に示すように、演算制御回路４０を有する。ＣＰＵを有する演算制御回路４０には、操作パネル６７、記憶手段としてのＲＯＭ４１、記憶手段としてのデータメモリ４２、ＲＡＭ４３が接続されていると共に、補正値メモリ４４が接続されている。また、演算制御回路４０には、表示用ドライバ４５を介して液晶表示器８が接続され、パルスモータドライバ４６を介して駆動系の各種駆動モータ（パルスモータ）４７ａ…４７ｎが接続されていると共に、通信ポート４８を介して図１のフレーム形状測定装置１が接続されている。
【００５６】
尚、例えば、上述したキャリッジを上下動させるパルスモータ等の駆動モータ４７ａ、キャリッジを左右動させるパルスモータ等の駆動モータを４７ｂ、レンズ回転軸９、１０を回転駆動させるパルスモータ等の駆動モータを４７ｃ、研削砥石１１を回転させる駆動モータを４７ｄとし、旋回アーム１６を上下回動させるパルスモータ等の駆動モータを４７ｅ、研削砥石１１を回転させる駆動モータを４７ｆとする。
【００５７】
この場合、駆動モータ４７ａを正転又は逆転させることにより図示しないキャリッジを上下動させることができ、駆動モータ４７ｂを正転又は逆転させることにより、キャリッジを左右動させることができる。また、駆動モータ４７ｃを正転又は逆転させることにより、レンズ回転軸９、１０を正転又は逆転させることができる。更に、駆動モータ４７ｄを作動制御することにより研削砥石１１を回転駆動できる。また、駆動モータ４７ｅを正転又は逆転させることにより、旋回アーム１６を上方又は下方に旋回駆動させることができる。更に、駆動モータ４７ｆを作動制御することにより、面取軸（回転軸）１５を回転駆動させることができる。このような駆動系の各駆動モータ４７ａ〜４７ｆの駆動は演算制御回路４０により行われる。
【００５８】
演算制御回路４０は、加工制御開始後に、フレーム形状測定装置１からのデータ読み込みや、データメモリ４２の記憶領域ｍ１〜ｍ８に記憶されたデータの読み込みがある場合には、図５に示すように、時分割による加工制御とデータの読み込みやレイアウト設定の制御を行う。
【００５９】
即ち、時間ｔ１,ｔ２間の期間をＴ１、時間ｔ２,ｔ３間の期間をＴ２、時間ｔ３,ｔ４間の期間をＴ３、・・・、時間ｔｎ−１,ｔｎ間の期間をＴｎ−１とすると、期間Ｔ１,Ｔ３・・・Ｔｎ−１の間で加工制御が行われ、データの読み込みやレイアウト設定の制御を期間Ｔ２,Ｔ４・・・Ｔｎの間に行う。従って、被加工レンズの研削加工中に、次の複数の玉型形状データの読み込み記憶や、データの読み出しとレイアウト設定（調整）等を行うことができ、データ処理の作業効率を格段に向上させることができる。
【００６０】
ＲＯＭ４１にはレンズ研削加工装置２の動作制御のための種々のプログラム等が記憶されている。データメモリ４２には複数のデータ記憶領域が設けられている。
【００６１】
ＲＡＭ４３は、加工中のデータを記憶する加工データ記憶領域４３ａ、新たなデータを記憶する新データ記憶領域４３ｂ、フレームデータや加工済みデータ等を記憶するデータ記憶領域４３ｃが設けられている。
【００６２】
尚、データメモリ４２には、読み書き可能なＦＥＥＰＲＯＭ（フラッシュＥＥＲＯＭ）を用いることもできるし、メインの電源がオフされても内容が消えないようにしたバックアップ電源使用のＲＡＭを用いることもできる。
［作用］
次に、この様な構成の演算制御回路４０を有するレンズ研削加工装置の作用を説明する。
【００６３】
スタート待機状態からメイン電源がオンされると、演算制御回路４０はフレーム形状測定装置１からのデータ読み込みがあるか否かを判断する。
【００６４】
即ち、演算制御回路４０は、操作パネル７の『データ要求』スイッチ７ｃが押されたか否かが判断される。そして、『データ要求』スイッチ７ｃが押されてデータ要求があれば、フレーム形状測定装置１からのレンズ形状情報（θｉ，ρｉ）のデータをＲＡＭ４３のデータ読み込み領域４３ｂに読み込む。この読み込まれたデータは、データメモリ４２の記憶領域ｍ１〜ｍ８のいずれかに記憶（記録）されるようにしてもよい。
【００６５】
このレンズ形状情報（θｉ，ρｉ）のデータが読み込まれると、演算制御回路４０は図６に示したレイアウト設定の為の表示内容を液晶表示器８に表示させる。
【００６６】
以下に、通常の面取加工におけるレイアウト設定、面取加工シミュレーション、面取加工の実行の各作業工程を説明する。
（ｉ）液晶表示器８のレイアウト表示
レイアウト設定時には、図６に示したような通常の面取加工の内容が液晶表示器８に演算制御回路４０により表示される。即ち、液晶表示器８の表示エリアＥ２には、「レンズ：プラ」、「コース：オート」が表示されると共に、ヤゲン及び面取加工のための表示２０がされる。また、表示エリアＥ３には、フレーム幾何学中心間距離ＦＰＤ、眼鏡装用者の瞳孔間距離ＰＤ、寄せ量ＵＰ、サイズ「ＳＩＺＥ」及びその数値が表示される。図６では、規定値（標準値）としてＦＰＤが７２．５、ＰＤが６４．０、ＵＰが＋２．０、ＳＩＺＥが＋０．００となっている。また、表示エリアＥ３には、「ＳＩＺＥ」の下方に位置させて「吸着位置：光学中心」の表示がされている。
【００６７】
更に、表示エリアＥ４の左側には右のレンズ形状ＬＲ及びレンズ吸着盤Ｒｓが重ねて表示され、表示エリアＥ４の右側には左のレンズ形状ＬＬ及びレンズ吸着盤Ｌｓが重ねて表示される。この際、レンズ形状ＬＲの光学中心ＯＲとレンズ吸着盤Ｒｓの中心が一致させられ、レンズ形状ＬＬの光学中心ＯＬとレンズ吸着盤Ｌｓの中心が一致させられる。
【００６８】
また、ファンクション表示部Ｈ１〜Ｈ６の上には、レンズタイプ、レンズ、フレーム、面取、鏡面及びコース等がそれぞれ表示される。更に、ファンクション表示部Ｈ１には例えば「単焦点」が表示され、ファンクション表示部Ｈ２には例えば「プラ」が表示され、ファンクション表示部Ｈ３には例えば「メタル」が表示され、ファンクション表示部Ｈ４には例えば「小（前後）」が表示され、ファンクション表示部Ｈ５には例えば「はい」が表示され、ファンクション表示部Ｈ６には例えば「オート」が表示される。
【００６９】
そして、ファンクション表示部Ｈ４に対応するファンクションキーＦ４を押すと、図７，図８に示したようなポップアップメニュー２１が表示される。このポップアップメニュー２１には、「無し、小（前後）、中（前後）、大（前後）、特殊（前後）、小（後）、中（後）、大（後）、特殊（後）」等の面取位置の選択内容が表示される。この表示状態では、「無し、小（前後）、中（前後）、大（前後）、特殊（前後）、小（後）、中（後）、大（後）、特殊（後）」等の面取位置のいずれかの色が反転表示されている。この反転表示された内容が面取位置であり、ファンクション表示部Ｈ４に表示される。図７では、「小（前後）」が面取位置として表示されている。
【００７０】
この面取位置のための反転表示は、ファンクションキーＦ４を押す毎に「無し」、「小（前後）」、「中（前後）」、「大（前後）」、「特殊（前後）」、「小（後）」、「中（後）」、「大（後）」、「特殊（後）」等に対して順に実行される。
【００７１】
このファンクションキーＦ４で「特殊（前後）」を選択すると、図８に示すように、ファンクション表示部Ｈ４に「特殊（前後）」と反転表示され、特殊面取のコースに移行する。なお、「特殊（後）」を選択した場合にも特殊面取のコースに移行する。また、玉型形状ＬＲ、ＬＬに面取加工後の面取軌跡３１Ｒ、３１Ｌが表示される。この場合、眼鏡レンズのコバ端の耳側、鼻側の面取りは例えば、２．０ｍｍの面取り幅、８０％の面取り範囲等の標準値で面取軌跡が表示される。
【００７２】
尚、「小（前後）」、「中（前後）」、「大（前後）」は、通常の面取加工での面取幅の大きさ（小、中、大）と、眼鏡レンズＭＬのコバ端の面取りする箇所（前側、後側）を意味する。「小（後）」、「中（後）」、「大（後）」も同様で、通常の面取加工での面取幅の大きさ（小、中、大）と、眼鏡レンズＭＬのコバ端の面取りする箇所（後側）を意味する。そして、「特殊（前後）」では、眼鏡レンズＭＬの前側及び後側屈折面のコバ端における面取加工のうち、眼鏡フレームの耳掛け（テンプル）側に位置する眼鏡レンズ位置（以下、耳側と略記する。）あるいは鼻当て（パッド）側に位置する眼鏡レンズ位置（以下、鼻側と略記する。）における面取加工を意味する。また、「特殊（後）」では、眼鏡レンズＭＬの前側屈折面のコバ端における面取は無し、後側屈折面のコバ端における面取加工のうち、耳側あるいは鼻側における面取加工を意味する。
（ii）ヤゲン加工及び面取の為のシミュレーション画面
＜眼鏡レンズのコバ端及びコバ端のヤゲン形状表示＞
図９のように特殊面取のための表示が実行された後、シミュレーション画面での左眼用の眼鏡レンズの面取操作を行う場合には、ファンクションキーＦ６の操作で『オート』、『試し』、『モニター』、『枠替え』或いは『内トレース』等の中から『モニター』を選択し、次に『左』スイッチ６ｂを押して、加工をスタートさせる。
【００７３】
そして、ヤゲン加工のためのシミュレーションの場合には、玉型形状情報であるレンズ形状情報（θｉ，ρｉ）に基づいて未加工の眼鏡レンズのコバ厚形状（レンズ形状）をコバ厚測定部材１９を有するコバ厚測定装置（コバ厚測定手段）で測定した後、ヤゲン山部Ｙの裾部（あるいはヤゲン肩部）が含まれるコバ端部の形状を図１０に示したような液晶表示器８のシミュレーション画面に表示させる。
【００７４】
この図１０では、液晶表示器８の表示エリアＥ２に左眼用の眼鏡レンズの「面幅」、「耳側幅」、「耳側範囲」、「鼻側幅」、「鼻側範囲」が表示される。そして、例えば「面幅」として０．３（ｍｍ）、「耳側幅」として２．０（ｍｍ）、「耳側範囲」として９０（％）、「鼻側幅」として１．０（ｍｍ）、「鼻側範囲」として９０（％）等が表示される。また、表示エリアＥ３（データ入力部）の下部には「フレームカーブ」及び「ヤゲンカーブ」が表示される。
【００７５】
更に、表示エリアＥ４の左側には、左眼マークＬ、左眼用のレンズ形状ＬＬ、レンズ形状ＬＬの光学中心ＯＬ、レンズ形状ＬＬの幾何学中心ＢＯ、上レンズ幅ＬＬｕ、下レンズ幅ＬＬｄ、右レンズ幅ＬＬｒ、左レンズ幅ＬＬｌ、任意の位置を示すマーク（視標）としても用いられる特殊面取位置マークＳｔｃ、コバ厚及び面取幅の最も薄い位置を示す面取位置マークＳｆｃが表示される。
【００７６】
また、表示エリアＥ４の右側の上部には、レンズ形状ＬＬの面取位置マークＳｆｃにおけるヤゲン形状を含むコバ端部の断面形状３２が最初に表示されると共に、例えばヤゲン頂点「Ｔｏｐ：１．０［０．９］」及び「Ｅｄｇ：４．０［４．０］」が最初に表示される。これと同時に、表示エリアＥ４の右側の下部には、レンズ形状ＬＬの耳側水平方向での特殊面取位置マークＳｔｃにおけるコバ断面形状３３が最初に表示されると共に、例えばヤゲン頂点「Ｔｏｐ：１．３［１．２］」及び「Ｅｄｇ：６．８［６．３］」及び「残り幅：２．２［２．３］」等が最初に表示される。
【００７７】
また、液晶表示器８の下縁部には、ファンクション表示部Ｈ１に対応して「位置」が表示され、ファンクション表示部Ｈ２に対応して「回転」が表示され、ファンクション表示部Ｈ４に対応して「面取」が表示され、ファンクション表示部Ｈ５に対応して「鏡面」が表示され、ファンクション表示部Ｈ６に対応して「戻す」が表示される。尚、Ｙはレンズ形状ＬＬのヤゲン山を示す。
【００７８】
更に、レンズ形状ＬＬの光学中心ＯＬを中心として特殊面取位置マークＳｔｃまで延びる指針３４がレンズ形状ＬＬに重ねて表示される。この指針３４及び特殊面取位置マークＳｔｃは、ファンクションキーＦ２を押すと、ファンクション表示部Ｈ２に示した矢印３５のようにレンズ形状ＬＬ上を時計回り方向（「−」方向）に移動するようになっている。また、指針３４及び特殊面取位置マークＳｔｃは、ファンクションキーＦ３を押すと、ファンクション表示部Ｈ３に示した矢印３６のようにレンズ形状ＬＬ上を反時計回り方向（「＋」方向）に移動するようになっている。そして、この指針３４及び特殊面取位置マークＳｔｃの移動に伴い、移動位置における面取部３７の状態が右側下部に表示される。例えば、この移動で指針３４及び特殊面取位置マークＳｔｃが面取位置マークＳｆｃ側に移動すると破線で示したように面取部３７の状態が変化する。
【００７９】
また、通常のシミュレーション画面では、表示エリアＥ３（データ入力部）の下部に「サイズ」が表示される。
【００８０】
更に、ヤゲン加工後の眼鏡レンズでヤゲン裾部が極めて狭く面取幅を十分にとれないような場合や、コバ厚が極めて狭くヤゲン山部のみ形成されるような場合において、ヤゲン山部およびヤゲン裾部にわたって面取する際には、シミュレーション画面において”食い込み”制御の条件を求めることができる。この条件の算出は、後述する（Ｖ）のようにして求める。
（iii）ヤゲン加工
シミュレーション操作しない場合には『オート』を選択することで、ヤゲン加工の面取加工の動作に移行する。但し、加工中の表示は、シミュレーション画面となる。
【００８１】
尚、ヤゲン加工を実行させる場合には、再度『左』スイッチ６ｂを押してスタートさせる。
【００８２】
演算制御回路４０は、駆動モータ４７ｄを作動制御することにより研削砥石１１を回転駆動させる一方、レンズ回転軸９、１０と砥石回転軸１２との軸間距離が角度θｉ毎に（砥石半径＋動径ρｉ）となるように、駆動モータ４７ａをレンズ形状情報（θｉ，ρｉ）に基づいて正転又は逆転させることにより、図示しないキャリッジを上下動させて、キャリッジの前端部を角度θｉ毎に上下動させて、キャリッジの前端部を角度θｉ毎に上下回動させてレンズ回転軸９、１０及び眼鏡レンズＭＬを上下動させる。これにより、眼鏡レンズＭＬが研削砥石１１でレンズ形状情報（θｉ，ρｉ）に粗研削加工される。
【００８３】
その後、レイアウト時にファンクションキーＦ４の操作で『面取』を『なし』以外に設定した場合、面取軌跡におけるレンズ形状測定を実行する。
【００８４】
また、演算制御回路４０は、上述と同様に各駆動モータ４７ａ、４７ｄをレンズ形状情報（θｉ，ρｉ）に基づいて作動制御して、レンズ形状（玉型形状）ＬＬ、ＬＲに粗研削された眼鏡レンズＭＬの周縁のコバ端部に研削砥石１１のヤゲン砥石１１ｂによりヤゲン山部Ｙを研削加工する。Ｙｔはヤゲン山部Ｙのヤゲン頂点である。
【００８５】
この際、演算制御回路４０は、予め設定されたヤゲン位置データに基づいてキャリッジを左右に駆動する駆動モータ４７ｂを制御することにより、玉型形状に粗加工された眼鏡レンズＭＬのコバ端にヤゲン加工を施す。平面加工ではヤゲン位置データとしてレンズ前面のコバ位置データを用いる。このヤゲン位置データ（又は前面コバ位置データ）は、眼鏡レンズＭＬのコバ厚を測定する際に得られる眼鏡レンズＭＬの前側屈折面ｆａ又は後側屈折面ｆｂのレンズ形状情報（θｉ，ρｉ）に対応する位置の測定軸１９ｃの軸線方向への屈折面位置データから求められる（図１４参照）。例えば、レンズ形状情報（θｉ，ρｉ）に基づく前側屈折面ｆａ又は後側屈折面ｆｂの屈折面位置データから所定位置コバ厚方向に位置する部分の位置データがヤゲン位置データとなる。このようなヤゲン加工位置データは、周知の方法で求めることができる。
（iV）通常の面取加工
レイアウト時、ファンクションキーＦ４の操作で『面取』を『なし』以外に設定した場合に、面取加工が実施される。
【００８６】
演算制御回路４０は、駆動モータ４７ｆを作動制御して面取砥石１３、１４、溝掘カッター１７等と一体の面取軸（溝掘軸）１５を回転駆動させると共に、（ii）の特殊面取の設定条件に基づいて駆動モータ４７ｅを作動制御して旋回アーム１６を上下に回動制御して、面取砥石１３、１４により眼鏡レンズＭＬに面取加工を施す。
【００８７】
この面取加工は、眼鏡レンズＭＬの前側屈折面ｆｒとコバ端面との角部（前面側角部、以下説明の便宜上「前面」と略称）及び眼鏡レンズＭＬの後側屈折面ｆｂとコバ端面との角部（後面側角部、以下説明の便宜上「後面」と略称）に施される。
(V)面取加工時の食い込み制御条件
ところで、ヤゲン加工後の眼鏡レンズでヤゲン裾部が極めて狭く面取幅を十分にとれないような場合や、コバ厚が極めて狭くヤゲン山部のみ形成されるような場合において、ヤゲン山部およびヤゲン裾部にわたって面取する際には、以下に説明するような”食い込み”制御条件を求める。
【００８８】
以下、その食い込み制御条件ついて説明する。なお、ここで、図１１に示すように、ヤゲン加工後に眼鏡レンズのコバ端面に形成されたヤゲン山部およびヤゲン裾部に関し、各々の量を便宜上定義する。未加工の眼鏡レンズのコバ厚形状（レンズ形状）をレンズ形状測定装置を用いて測定するとき、補正測定本測定といい、粗加工後の眼鏡レンズのコバ厚形状（レンズ形状）を測定するとき、本測定補正測定という。
【００８９】
（Ａ）”食い込み”制御を求める演算式等に用いられる記号の説明
補正測定前面位置修正量  ：Ａ
補正測定後面位置修正量  ：Ｂ
補正測定前面コバ幅      ：Ｃ
補正測定後面コバ幅      ：Ｄ
本測定前面コバ幅        ：Ｅ
本測定後面コバ幅        ：Ｆ
面取り砥石角度（前面）  ：θｆ  一般に４７°
面取り砥石角度（後面）  ：θｂ  
本発明に係るレンズ研削加工装置の面取砥石は
２種類設けられており、３３°、４３°の角度をなす
前面面取り幅            ：Ｇ  一般に、面取幅が小の場合、０．３ｍｍ
後面面取り幅            ：Ｈ  一般に、面取幅が小の場合、０．３ｍｍ
前面面取り幅（X成分）   ：Ｉ（すなわち、Ｇ×sinθf）
後面面取り幅（X成分）   ：Ｊ（すなわち、Ｈ×sinθb）
ヤゲンＶ角度            ：θｖ  通常は５５°
ヤゲン高さ              ：Ｋ  通常０．７ｍｍや０．８５ｍｍ程度
ヤゲン肩幅              ：Ｌ（すなわち、Ｋ×tanθv）  
通常、１mmや１．２１ｍｍであることが多い
食い込み補正値（ヤゲンへ
食い込ませた時の切削面の
幅）                    ：Ｍ  マイナス値で食い込みを行なう
面取りY制御位置（前面） ：Ｎ
面取りY制御位置（後面） ：Ｏ
ヤゲン位置              ：Ｐ
【００９０】
（Ｂ）食い込み制御の原理
ここでＭはヤゲンへ食い込ませた時の切削面の幅である。
ヤゲンV形状部を切削することでできる面幅をa、
ヤゲン肩フラット部を切削することでできる面幅をbとすると、
Ｍ＝ ａ＋ｂとなる。
この量Ｍを補正値化し、デフォルト値は０．３ｍｍ（小面取り基準）とする。
【００９１】
実際の加工結果は、レンズ前後カーブの影響により演算通りにならないため、標準的なレンズを切削することによりデフォルト値を決定する必要がある。
【００９２】
また、図１２に示すように、眼鏡店などで小面取り幅が０．３ｍｍ以下に設定されている場合に対応するため、実際に使用する際は、次の計算式で変更が効くようにしておく。すなわち、実際の切削面幅をＭ’とすると、
Ｍ’＝ 作業者設定小面取幅＋{Ｍ−０．３ｍｍ}
図１３に示すように、眼鏡装用者の眉に掛かるコバ部分について、従来は、面取幅が０．３ｍｍ以下で、一定の面取幅を維持することができなかったが、これによって、このようなコバ部分についても面取幅を０．３ｍｍに保つことができる。なお、例えば、Ｍのデフォルト値を、前面０．２５ｍｍ、後面０．３５ｍｍとすると、
工場出荷時は、
前面：Ｍ’＝ ０．３＋（０．２５−０．３）＝  ０．２５ｍｍ
後面：Ｍ’＝  ０．３＋（０．３５−０．３）＝  ０．３５ｍｍ
眼鏡店などで小面取り幅が０．２mmに変更されているとしたら、
前面：Ｍ’ ＝ ０．２＋（０．２５−０．３）＝０．１５ｍｍ
後面：Ｍ’ ＝  ０．２＋（０．３５−０．３）＝０．２５ｍｍ
と変えて、小面取り幅の変更にも適応させる。
【００９３】
（Ｃ）前面及び後面の食い込み制御条件
（１）コバ不足が無い場合
＜前面の食い込み制御条件＞
Ｃ≧Ｌ+Ｉ
∴  Ｎ＝Ｎ
＜後面の食い込み制御条件＞
Ｄ≧Ｌ+Ｊ 
∴  Ｏ＝Ｏ
（２）コバ不足、ヤゲン肩を一部含む場合
＜前面の食い込み制御条件＞
Ｃ＜Ｌ+Ｉ
且つ   Ｅ≧Ｌ
x0＝Ｅ−Ｌ
肩の残り量x0に応じてヤゲンへ食い込ませるかを判断する。図１４に示す。
（ａ）０＜x0≦(Ｍ’×sinθｆ)の時
不足分をヤゲンへ食い込ませる量xを計算
この食い込ませる量xは、
x＝(Ｍ’−x0／sinθｆ)／(１／sinθｆ＋sin(９０−θv)／sin(θｖ−θｆ))
＝ (Ｍ’− x0／sinθｆ )／５．４８９ （小面取砥石）
として求められる。
（ｂ）x0＞（Ｍ’× sinθｆ)の時
中、大面取り、及び特殊面取りの０．３ｍｍ以上の面取り部に相当
この場合は、従来のヤゲン肩で停止する強制面取りと同じ
x＝０
∴  Ｎ＝Ｐ−((Ｌ+Ｉ)−x)
＜後面の食い込み制御条件＞
Ｄ＜Ｌ＋Ｊ
且つ  Ｆ≧Ｌ  
x0=Ｆ−Ｌ
肩の残り量x0に応じてヤゲンへ食い込ませるかを判断する。
（ｉ）0＜x0≦  (Ｍ’× sinθｂ)の時
不足分をヤゲンへ食い込ませる量xの計算
この食い込ませる量xは、
x＝ (Ｍ’− x0／sinθｂ)／(１／sinθｂ＋  sin(９０−θｖ )／sin(θｖ −θｂ))
＝(Ｍ’− x0／sinθｂ)／４．２２５（小面取砥石）
として求める。
（ｉｉ） x0 ＞（  Ｍ’× sinθｂ)の時
中、大面取り、及び特殊面取りの０．３ｍｍ以上の面取り部に相当
この場合は、従来のヤゲン肩で停止する強制面取りと同じ
x＝０
∴  Ｏ＝Ｐ+((Ｌ＋Ｊ)−x)
（３）コバ不足、ヤゲン肩幅以下の時の食い込み制御条件
（３Ａ）．前面のコバ不足、ヤゲン肩幅以下の時の食い込み制御条件
Ｃ＜Ｌ+Ｉ
且つ Ｅ＜Ｌ            
・[３Ａ−１]式
ヤゲン肩幅から細ヤゲン肩位置までの距離Ｘを計算する。この距離Ｘは、
Ｘ＝（Ｌ−Ｅ  ）×(1-tanθｆ ／ tanθｖ)
＝（Ｌ−Ｅ  ）× ０．２４９（小面取砥石）
となる。
・[３Ａ−２]式
細ヤゲンに食い込ませる量ｘを計算する。
【００９４】
x＝Ｍ’／｛(１／sinθｆ＋sin(９０−θｖ)／sin(θｖ −θｆ)) ｝
＝ Ｍ’／５．４８９ （小面取砥石）
・[３Ａ−３]式
そして、図１５に示すように距離Ｘと細ヤゲンに食い込ませる量ｘを合わせた量(Ｘ＋x)を求めて、この合わせた量(Ｘ＋x)をヤゲン肩位置から内側に入れる。
【００９５】
ヤゲン肩から細ヤゲン肩までの距離をＸ近づけて、そこからさらに一定量ｘ食い込ませる。この合わせた量（Ｘ＋x）がヤゲン頂点をオーバーする場合には、ヤゲン頂点を切削してサイズを小さくする恐れがあるため、制限を加える。ヤゲン肩からヤゲン頂点まで砥石を近づけるに必要な距離がこの制限となる。実際は補正値で０．２ｍｍ程度の余裕を持たせる。（面取り食い込み限界細ヤゲンコバ幅、前後共通とする。）  ここで、余裕値をＹ０とする
制限を求めるには[３Ａ−１]式でコバ幅が余裕値Ｙ０の場合を想定すると制限x_limitは、
x_limit= (Ｌ−Ｙ０) ×(1−tanθｆ ／ tanθｖ)  となる。
【００９６】
この制限を越える場合は制限までとし、これ以上砥石を内側に入れない。つまり食い込み量xを減らすことになる。そして、食い込み研削量xcutは次の３つの条件
xcut＝Ｘ+ x
xcut＞x_limit
xcut＝x_limit  
となり、
以上のことから前面面取のＹ制御位置Ｎは、
∴Ｎ＝Ｐ−((Ｌ+Ｉ)−xcut（X+x）)
として求められる。
但し、（X+x）が制限x_limitを越える場合には
∴Ｎ＝Ｐ−((Ｌ+Ｉ)−（x_limit）)
として求められる。
また、ちなみに制限の掛かる時のコバ幅（食い込み量ｘを減らさない最低必要コバ幅）を求めてみると、この時、Ｘ+x＝x_limit  の関係があることから、
つまり[３Ａ-1]式＋[３Ａ-2]式＝[３Ａ-3]式
［（Ｌ−Ｅ）×(1-tanθｆ ／ tanθｖ) ］  +
［  Ｍ’／｛(１／sinθｆ＋sin(９０−θｖ)／sin(θｖ −θｆ) )｝］
＝  (Ｌ−Ｙ０) ×(1-tanθｆ／ tanθｖ)
となる。の関係があることから、
そして、この式を変形してコバ幅Ｅについて解くと、
Ｅ＝Ｍ’／ {(１／sinθｆ＋sin(９０−θｖ)／sin(θｖ −θｂ))×(1-tanθｆ／ tanθｖ)｝＋Ｙ０
＝０．３／(５．４８９×０．２４９)＋Ｙ０
＝０．２１９＋０．２
＝０．４１９ｍｍ  (小面取砥石)
となる。
（３Ｂ）．後面のコバ不足、ヤゲン肩幅以下の時の食い込み制御条件
Ｄ＜Ｌ+Ｊ
且つ Ｆ＜Ｌ
・[３Ｂ−１]式
ヤゲン肩幅から細ヤゲン肩位置までの距離Ｘを計算する。
【００９７】
Ｘ＝（Ｌ−Ｆ）×(1 - tanθｂ ／ tanθｖ)
＝（Ｌ−Ｆ）× ０．３４７（小面取砥石）
・[３Ｂ−２]式
細ヤゲンに食い込ませる量ｘを計算する。この食い込ませる量ｘは、
x＝ Ｍ’／｛(１／sinθｂ＋sin(９０−θｖ )／sin(θｖ −θｂ)) ｝
＝ Ｍ’／４．２２５ （小面取砥石）
となる。
・[３Ｂ−３]式
この合わせた量(Ｘ+x)を、ヤゲン肩位置から内側に入れる。
【００９８】
ヤゲン肩から細ヤゲン肩までの距離をX近づけて、そこからさらに一定量ｘ食い込ませる。この合わせた量（Ｘ+x）がヤゲン頂点をオーバーする場合には、ヤゲン頂点を切削してサイズを小さくする恐れがあるため、制限を加える。
ヤゲン肩からヤゲン頂点まで砥石を近づけるに必要な距離がこの制限となる。
実際は補正値で０．２ｍｍ程度の余裕を持たせる。（面取り食い込み限界細ヤゲンコバ幅、前後共通とする）ここで、余裕値をＹ０とする
制限を求めるには[３Ｂ‐1]でコハ゛幅が余裕値の場合を想定すると制限x_limitは、
x_limit=(Ｌ−Ｙ０) ×(1-tanθｂ／ tanθｖ)  となる。
【００９９】
この制限を越える場合は制限までとし、これ以上砥石を内側に入れない。つまり食い込み量xを減らすことになる。そして、食い込み研削量xcutは次の３つの条件
xcut＝Ｘ+ x
xcut＞x_limit
xcut＝x_limit  
となり、
以上のことから後面面取のＹ制御位置Ｏは、
∴O＝Ｐ＋((Ｌ+Ｉ)−xcut（X+x）)
として求められる。
但し、（X+x）が制限x_limitを越える場合には
∴Ｎ＝Ｐ＋((Ｌ+Ｉ)−（x_limit）)
として求められる。
また、ちなみに制限の掛かる時のコバ幅（食い込み量ｘを減らさない最低必要コバ幅）を求めてみると、この時、Ｘ+x＝x_limit  の関係があることから、
つまり[３Ｂ-１]式＋[３Ｂ-２]式＝[３Ｂ-３]式
［（Ｌ−Ｆ）×(1-tanθｂ／tanθｖ) ］  +
［ Ｍ’／｛(１／sinθｂ＋sin(９０−θｖ )／sin(θｖ −θｂ)) ｝］
＝ (Ｌ−Ｙ０) ×(1-tanθｂ／tanθｖ)
となる。の関係があることから、
そして、この式を変形してコバ幅Fについて解くと、
Ｆ＝ Ｍ’／{(１／sinθｂ＋sin(９０−θｖ)／sin(θｖ −θｂ))×(1-tanθｂ／tanθｖ)｝＋Ｙ０
＝０．３／(４．２２５×０．３４７)＋Ｙ０
＝０．２０５+０．２
＝０．４０５ｍｍ（小面取砥石）
となる。
(Vi)面取加工時の食い込み制御
次に、上述した（V)で求められる面取加工時の食い込み制御条件を用いて、眼鏡レンズＭＬの前面のコバ端部の角部に面取加工をする場合について、図１６のフローチャートに基づき説明する。尚、眼鏡レンズＭＬの後面のコバ端部の角部に面取加工をする場合も、眼鏡レンズＭＬの前面のコバ端部の角部に面取加工をする場合と同じであるので、その説明は省略する。
【０１００】
演算制御回路４０は、（Ｖ）のヤゲン加工が終了すると、図１６の面取加工の制御を開始する。
ステップＳ１
このステップＳ１において演算制御回路４０は、面取に必要な眼鏡レンズのコバ面幅が不足しているかどうかを判定式Ａ（Ｃ≧Ｌ＋Ｉ）により判定し、不足していない場合にはステップＳ２S4に移行し、不足している場合にはステップＳ４S2に移行する。
ステップＳ２
このステップＳ２において演算制御回路４０は、面取幅がヤゲン肩幅（ヤゲン裾部の幅）以上かどうかを判定式Ｂ（Ｅ≧Ｌ）により判定し、肩幅未満の場合にはステップＳ３に移行し、肩幅以上の場合にはステップＳ５に移行する。
ステップＳ３
このステップＳ３において演算制御回路４０は、上述した（V）の条件（３）の演算式に基づく面取ができるように、条件（３）の演算式に基づいて図示しないキャリッジをレンズ回転軸９，１０の軸線の延びる方向に移動制御して、レンズ回転軸９，１０間に保持された眼鏡レンズＭＬをレンズ回転軸９，１０の軸線の延びる方向に移動させることにより、眼鏡レンズＭＬの前面側を面取砥石１３（又は１５）に対して移動制御する。
【０１０１】
この際、演算制御回路４０は、駆動モータ４７ｆを作動制御して面取砥石１３、１４、溝掘カッター１７等と一体の面取軸（溝掘軸）１５を回転駆動させると共に、旋回アーム１６を上下に回動制御して、面取砥石１３（又は１４）により眼鏡レンズＭＬに条件（３）の演算式に基づく面取加工を施て、終了する。この面取加工は、眼鏡レンズＭＬの前側屈折面ｆｒとコバ端面との角部に施される。
ステップＳ４
このステップＳ４において演算制御回路４０は、上述した（V）の条件（１）の演算式に基づく面取ができるように、条件（１）の演算式に基づいて図示しないキャリッジをレンズ回転軸９，１０の軸線の延びる方向に移動制御して、レンズ回転軸９，１０間に保持された眼鏡レンズＭＬをレンズ回転軸９，１０の軸線の延びる方向に移動させることにより、眼鏡レンズＭＬの前面側を面取砥石１３（又は１５）に対して移動制御する。
【０１０２】
この際、演算制御回路４０は、駆動モータ４７ｆを作動制御して面取砥石１３、１４、溝掘カッター１７等と一体の面取軸（溝掘軸）１５を回転駆動させると共に、旋回アーム１６を上下に回動制御して、面取砥石１３（又は１４）により眼鏡レンズＭＬに条件（１）の演算式に基づく面取加工を施して、終了する。この面取加工は、眼鏡レンズＭＬの前側屈折面ｆｒとコバ端面との角部に施される。
ステップＳ５
このステップＳ５において演算制御回路４０は、上述した（V）の条件（２）の演算式に基づく面取ができるように、条件（２）の演算式に基づいて図示しないキャリッジをレンズ回転軸９，１０の軸線の延びる方向に移動制御して、レンズ回転軸９，１０間に保持された眼鏡レンズＭＬをレンズ回転軸９，１０の軸線の延びる方向に移動させることにより、眼鏡レンズＭＬの前面側を面取砥石１３（又は１５）に対して移動制御する。
【０１０３】
この際、演算制御回路４０は、駆動モータ４７ｆを作動制御して面取砥石１３、１４、溝掘カッター１７等と一体の面取軸（溝掘軸）１５を回転駆動させると共に、旋回アーム１６を上下に回動制御して、面取砥石１３（又は１４）により眼鏡レンズＭＬに条件（２）の演算式に基づく面取加工を施して、終了する。この面取加工は、眼鏡レンズＭＬの前側屈折面ｆｒとコバ端面との角部に施される。
【０１０４】
以上説明したように、この発明の実施の形態の眼鏡レンズの面取加工方法においては、眼鏡レンズＭＬの周縁にヤゲン裾部が設けられたヤゲン山部Ｙを形成した後、前記眼鏡レンズＭＬの周縁のコバ端の角部を面取砥石（１３，１４）により面取加工するようになっている。しかも、前記ヤゲン裾部の幅に応じて、前記面取砥石（１３，１４）により前記角部に前記ヤゲン裾部および前記ヤゲン山部Ｙのヤゲン傾斜面まで面取加工し且つ該面取加工を前記眼鏡レンズＭＬの全周に亘って所定幅で行なうようになっている。
【０１０５】
この眼鏡レンズの面取加工方法によれば、眼鏡レンズのコバが狭いために、ヤゲン裾部が極めて狭くなっているか、ほとんどヤゲン裾部が形成されていないような眼鏡レンズのコバ部分においても、ヤゲン裾部の幅に応じて装置が自動的に判断し一定の面取幅をもって面取加工を施すことができ、面取加工を行なうことができる。
【０１０６】
また、この発明の実施の形態の眼鏡レンズの面取加工装置は、周縁にヤゲン山部Ｙを形成したヤゲン加工後の眼鏡レンズＭＬを挟持するレンズ回転軸９，１０と、前記レンズ回転軸９，１０を回転駆動する第１の駆動手段（駆動モータ４７ｃ）と、ヤゲン加工後の前記眼鏡レンズＭＬのコバ端部を面取加工する面取砥石（１３，１４）と、前記面取砥石（１３，１４）を回転駆動する第２の駆動手段（駆動モータ４７ｆ）と、前記レンズ回転軸（９，１０）と前記面取砥石（１３，１４）を相対的に接近・離反駆動させる第３の駆動手段（駆動モータ４７ａ，４７ｂ，４７ｅ）と、前記第１〜第３の駆動手段（駆動モータ４７ａ，４７ｂ，４７ｃ，４７ｅ，４７ｆ）を駆動制御する演算制御手段（演算制御回路４０）と、前記ヤゲン山部Ｙのヤゲン裾部の幅のデータを入力するデータ入力手段（操作パネル７）を備えている。しかも、前記演算制御手段（演算制御回路４０）は、入力された前記ヤゲン山部Ｙのヤゲン裾部の幅のデータに応じて、前記ヤゲン裾部又はヤゲン裾部およびヤゲン山部Ｙのヤゲン傾斜面まで面取加工するかどうか判定して、判定した結果に基いて前記第１〜第３の駆動手段（駆動モータ４７ａ，４７ｂ，４７ｃ，４７ｅ，４７ｆ）を駆動制御して、前記面取砥石（１３，１４）により前記角部に前記ヤゲン裾部およびヤゲン山部Ｙのヤゲン傾斜面まで面取加工させると共に該面取加工を前記眼鏡レンズＭＬの全周に亘って所定幅で行なわせるようになっている。
【０１０７】
この眼鏡レンズの面取加工装置によれば、眼鏡レンズのコバが狭いために、ヤゲン裾部が極めて狭くなっているか、ほとんどヤゲン裾部が形成されていないような眼鏡レンズのコバ部分においても、ヤゲン裾部の幅に応じて装置が自動的に判断し一定の面取幅をもって面取加工を施すことができ、面取加工を行なうことができる。
【０１０８】
更に、この発明の実施の形態の眼鏡レンズの面取加工方法及び面取装置は、前記眼鏡レンズＭＬのコバ厚Ｗｉを測定するレンズ形状測定手段（コバ厚測定部材１９及びその移動量測定部を含む）、または前記面取砥石（１３，１４）を有する面取加工手段（面取軸１５，旋回アーム１６，駆動モータ４７ｆ等を含む）を用いて、ヤゲン加工後の前記眼鏡レンズＭＬのヤゲン裾部の幅を測定することもできる。
【０１０９】
この構成によれば、既存の構成を用いて簡易にヤゲン裾部の幅を正確に測定することができる。
【図面の簡単な説明】
【０１１０】
【図１】本発明の実施の形態に係るレイアウト表示装置を備えるレンズ研削加工装置とフレーム形状測定装置との関係を示す説明図である。
【図２】本発明の実施の形態に係るレンズ研削加工装置を示し、加工室内の加工主要部の斜視図である。
【図３】本発明の実施の形態に係るレンズ研削加工装置を示し、（Ａ）は第１の操作パネルの拡大説明図、（Ｂ）は液晶表示器の正面図である。
【図４】本発明の実施の形態に係るレンズ研削加工装置の制御回路の説明図である。
【図５】制御回路の制御を説明するためのタイムチャートである。
【図６】図３の液晶表示器の通常の面取り加工の表示例を示す説明図である。
【図７】図６の液晶表示器に表示されたポップアップメニューを示す説明図である。
【図８】図７に示すポップアップメニューにおいて「特殊（前後）」を選択した状態を示す図である。
【図９】画面上に特殊面取りのための表示の一例が示された状態を説明するための図である。
【図１０】シミュレーション画面が液晶表示器に表示された状態を示す説明図である。
【図１１】この発明にかかる面取方法の説明図である。
【図１２】この発明にかかる面取方法の他の説明図である。
【図１３】この発明にかかる面取方法の他の説明図である。
【図１４】この発明にかかる面取方法の他の説明図である。
【図１５】この発明にかかる面取方法の他の説明図である。
【図１６】この発明にかかる面取方法を説明するためのフローチャートである。
【符号の説明】
【０１１１】
ＭＬ…眼鏡レンズ
Ｙ…ヤゲン山部
７…操作パネル（データ入力手段）
９，１０…レンズ回転軸
１３，１４…面取砥石
４０…演算制御回路（演算制御手段）
４７ａ…駆動モータ（第３の駆動手段の一部）
４７ｂ…駆動モータ（第３の駆動手段の一部）
４７ｃ…駆動モータ（第１の駆動手段）
４７ｅ…駆動モータ（第３の駆動手段の一部）
４７ｆ…駆動モータ（第２の駆動手段）
【図１】
2006198744.tif 000003
【図２】
2006198744.tif 000004
【図３】
2006198744.tif 000005
【図４】
2006198744.tif 000006
【図５】
2006198744.tif 000007
【図６】
2006198744.tif 000008
【図７】
2006198744.tif 000009
【図８】
2006198744.tif 000010
【図９】
2006198744.tif 000011
【図１０】
2006198744.tif 000012
【図１１】
2006198744.tif 000013
【図１２】
2006198744.tif 000014
【図１３】
2006198744.tif 000015
【図１４】
2006198744.tif 000016
【図１５】
2006198744.tif 000017
【図１６】
2006198744.tif 000018
【手続補正書】
【提出日】平成17年1月28日(2005.1.28)
【手続補正１】
【補正対象書類名】明細書
【補正対象項目名】００９６
【補正方法】変更
【補正の内容】
【００９６】
この制限を越える場合は制限までとし、これ以上砥石を内側に入れない。つまり食い込み量xを減らす。
以上のことから前面面取のＹ制御位置Ｎは、
∴Ｎ＝Ｐ−((Ｌ+Ｉ)−xcut（X+x）)
として求められる。
但し、（X+x）が制限x_limitを越える場合には
∴Ｎ＝Ｐ−((Ｌ+Ｉ)−（x_limit）)
として求められる。
また、ちなみに制限の掛かる時のコバ幅（食い込み量ｘを減らさない最低必要コバ幅）を求めてみると、この時、Ｘ+x＝x_limit  の関係があることから、
つまり[３Ａ-1]式＋[３Ａ-2]式＝[３Ａ-3]式
［（Ｌ−Ｅ）×(1-tanθｆ ／ tanθｖ) ］  +
［  Ｍ’／｛(１／sinθｆ＋sin(９０−θｖ)／sin(θｖ −θｆ) )｝］
＝  (Ｌ−Ｙ０) ×(1-tanθｆ／ tanθｖ)
となる。の関係があることから、
そして、この式を変形してコバ幅Ｅについて解くと、
Ｅ＝Ｍ’／ {(１／sinθｆ＋sin(９０−θｖ)／sin(θｖ −θｂ))×(1-tanθｆ／ tanθｖ)｝＋Ｙ０
＝０．３／(５．４８９×０．２４９)＋Ｙ０
＝０．２１９＋０．２
＝０．４１９ｍｍ  (小面取砥石)
となる。
（３Ｂ）．後面のコバ不足、ヤゲン肩幅以下の時の食い込み制御条件
Ｄ＜Ｌ+Ｊ
且つ Ｆ＜Ｌ
・[３Ｂ−１]式
ヤゲン肩幅から細ヤゲン肩位置までの距離Ｘを計算する。
【手続補正２】
【補正対象書類名】明細書
【補正対象項目名】００９９
【補正方法】変更
【補正の内容】
【００９９】
この制限を越える場合は制限までとし、これ以上砥石を内側に入れない。つまり食い込み量xを減らす。
以上のことから後面面取のＹ制御位置Ｏは、
∴O＝Ｐ＋((Ｌ+Ｉ)−xcut（X+x）)
として求められる。
但し、（X+x）が制限x_limitを越える場合には
∴Ｎ＝Ｐ＋((Ｌ+Ｉ)−（x_limit）)
として求められる。
また、ちなみに制限の掛かる時のコバ幅（食い込み量ｘを減らさない最低必要コバ幅）を求めてみると、この時、Ｘ+x＝x_limit  の関係があることから、
つまり[３Ｂ-１]式＋[３Ｂ-２]式＝[３Ｂ-３]式
［（Ｌ−Ｆ）×(1-tanθｂ／tanθｖ) ］  +
［ Ｍ’／｛(１／sinθｂ＋sin(９０−θｖ )／sin(θｖ −θｂ)) ｝］
＝ (Ｌ−Ｙ０) ×(1-tanθｂ／tanθｖ)
となる。の関係があることから、
そして、この式を変形してコバ幅Fについて解くと、
Ｆ＝ Ｍ’／{(１／sinθｂ＋sin(９０−θｖ)／sin(θｖ −θｂ))×(1-tanθｂ／tanθ
ｖ)｝＋Ｙ０
＝０．３／(４．２２５×０．３４７)＋Ｙ０
＝０．２０５+０．２
＝０．４０５ｍｍ（小面取砥石）
となる。
(Vi)面取加工時の食い込み制御
次に、上述した（V)で求められる面取加工時の食い込み制御条件を用いて、眼鏡レンズＭＬの前面のコバ端部の角部に面取加工をする場合について、図１６のフローチャートに基づき説明する。尚、眼鏡レンズＭＬの後面のコバ端部の角部に面取加工をする場合も、眼鏡レンズＭＬの前面のコバ端部の角部に面取加工をする場合と同じであるので、その説明は省略する。